(57)【要約】  電池ケースは、電池を収容する外装ケース１と、第１ボルト挿通孔２３が形成された第１平板部２１、および、第１平板部２１と直交する第２平板部２２を有し、外装ケース１の外側に設けられた出力端子２Ａとを備える。この電池ケースは、第１ボルト挿通孔２３に挿入されるボルトとナットを用いて、出力端子２Ａの第１平板部２１に外部出力線を接続できるように構成されている。外装ケース１の外側には、ナットを、出力端子２Ａの第２平板部２２との間に挟んで保持することができるように構成された第１ナット保持部１１が設けられ、第１ナット保持部１１は、ナットの差込方向における手前側よりも奥側の方が、出力端子２Ａの第２平板部２２との間の距離が短くなるように、勾配のついた形状を有する。
2019102863.tif 000002
【特許請求の範囲】
【請求項１】
電池を収容する外装ケースと、
第１ボルト挿通孔が形成された第１平板部、および、前記第１平板部と直交する第２平板部を有し、前記外装ケースの外側に設けられた出力端子と、
を備え、
前記第１ボルト挿通孔に挿入されるボルトとナットを用いて、前記出力端子の前記第１平板部に外部出力線を接続できるように構成されており、
前記外装ケースの外側には、前記ナットを、前記出力端子の前記第２平板部との間に挟んで保持することができるように構成された第１ナット保持部が設けられ、
前記第１ナット保持部は、前記ナットの差込方向における手前側よりも奥側の方が、前記出力端子の前記第２平板部との間の距離が短くなるように、勾配のついた形状を有することを特徴とする電池ケース。
【請求項２】
前記出力端子の前記第２平板部には、第２ボルト挿通孔が形成され、
前記第２ボルト挿通孔に挿入されるボルトとナットを用いて、前記出力端子の前記第２平板部に外部出力線を接続できるように構成されており、
前記外装ケースの外側には、前記ナットを、前記出力端子の前記第１平板部との間に挟んで保持することができるように構成された第２ナット保持部が設けられ、
前記第２ナット保持部は、前記ナットの差込方向における手前側よりも奥側の方が、前記出力端子の前記第１平板部との間の距離が短くなるように、勾配のついた形状を有することを特徴とする請求項１に記載の電池ケース。
【請求項３】
前記第２ボルト挿通孔は、鉛直方向にボルトが挿通されるように構成されており、
前記第２ボルト挿通孔に挿入されるボルトと締結するナットを載置するためのナット載置部をさらに備え、
前記ナット載置部は、段差のある形状を有することを特徴とする請求項２に記載の電池ケース。
【請求項４】
前記出力端子は、その一端が前記外装ケースの内側に貫通する態様で設けられており、
前記外装ケースの内側に貫通した前記出力端子の一端を覆う封止樹脂をさらに備えることを特徴とする請求項１〜３のいずれかに記載の電池ケース。
【請求項５】
前記出力端子は、その他端が前記外装ケースの内側に貫通する態様で設けられており、
前記出力端子の他端が前記外装ケースを貫通している箇所における、前記出力端子と前記外装ケースとの間には、弾性体が配設されており、
前記出力端子の他端側は、前記電池ケースに収容される電池と接続されるように構成されていることを特徴とする請求項１〜４のいずれかに記載の電池ケース。
【請求項６】
前記ナットの差込方向における奥行き位置を規制するためのストッパをさらに備えることを特徴とする請求項１〜５のいずれかに記載の電池ケース。  
【発明の詳細な説明】
【技術分野】
【０００１】
本発明は、電池を収容する電池ケースに関する。
【背景技術】
【０００２】
電池を収容する電池ケースが知られている。【０００３】
そのような電池ケースの１つとして、特許文献１には、出力端子の一端に樹脂被覆体を設け、この樹脂被覆体を、電池ケースに設けられた凹部に嵌合させて融着させることにより、出力端子の取り付け作業を容易にした電池ケースが記載されている。【０００４】
この特許文献１の電池ケースでは、出力端子にボルト挿通孔が設けられ、ボルト挿通孔に挿入されるボルトと、ボルトに締結されるナットを用いて、外部出力線を出力端子に接続するように構成されている。また、ボルトへのナットの締結作業時に、ナットが落下するのを防ぐために、ナットを載置可能なナット受け面が設けられている。
【先行技術文献】
【特許文献】
【０００５】
【特許文献１】特開２００３−７７４５４号公報
【発明の概要】
【発明が解決しようとする課題】
【０００６】
しかしながら、特許文献１に記載の電池ケースでは、ボルトへの締結位置までナットを差し込む際に、ナットの差込方向の奥側に比べて手前側が下になるように電池ケースが傾くと、ナットが落下するという問題が生じる。【０００７】
本発明は、上記課題を解決するものであり、ナットの締結時に、ナットの挿入方向に電池ケースが傾いた場合でも、ナットの落下を抑制することができる電池ケースを提供することを目的とする。
【課題を解決するための手段】
【０００８】
本発明の電池ケースは、
電池を収容する外装ケースと、
第１ボルト挿通孔が形成された第１平板部、および、前記第１平板部と直交する第２平板部を有し、前記外装ケースの外側に設けられた出力端子と、
を備え、
前記第１ボルト挿通孔に挿入されるボルトとナットを用いて、前記出力端子の前記第１平板部に外部出力線を接続するように構成されており、
前記外装ケースの外側には、前記ナットを、前記出力端子の前記第２平板部との間に挟んで保持することができるように構成された第１ナット保持部が設けられ、
前記第１ナット保持部は、前記ナットの差込方向における手前側よりも奥側の方が、前記出力端子の前記第２平板部との間の距離が短くなるように、勾配のついた形状を有することを特徴とする。【０００９】
前記出力端子の前記第２平板部には、第２ボルト挿通孔が形成され、
前記第２ボルト挿通孔に挿入されるボルトとナットを用いて、前記出力端子の前記第２平板部に外部出力線を接続するように構成されており、
前記外装ケースの外側には、前記ナットを、前記出力端子の前記第１平板部との間に挟んで保持することができるように構成された第２ナット保持部が設けられ、
前記第２ナット保持部は、前記ナットの差込方向における手前側よりも奥側の方が、前記出力端子の前記第１平板部との間の距離が短くなるように、勾配のついた形状を有していてもよい。【００１０】
前記第２ボルト挿通孔は、鉛直方向にボルトが挿通されるように構成されており、
前記第２ボルト挿通孔に挿入されるボルトと締結するナットを載置するためのナット載置部をさらに備え、
前記ナット載置部は、段差のある形状を有するように構成されていてもよい。【００１１】
また、前記出力端子は、その一端が前記外装ケースの内側に貫通する態様で設けられており、
前記外装ケースの内側に貫通した前記出力端子の一端を覆う封止樹脂をさらに備えていてもよい。【００１２】
前記出力端子は、その他端が前記外装ケースの内側に貫通する態様で設けられており、
前記出力端子の他端が前記外装ケースを貫通している箇所における、前記出力端子と前記外装ケースとの間には、弾性体が配設されており、
前記出力端子の他端側は、前記電池ケースに収容される電池と接続されるように構成されていてもよい。【００１３】
前記ナットの差込方向における奥行き位置を規制するためのストッパをさらに備えていてもよい。
【発明の効果】
【００１４】
本発明の電池ケースによれば、ナットを保持する第１ナット保持部は、ナットの差込方向における手前側よりも奥側の方が、出力端子の第２平板部との間の距離が短くなるように、勾配のついた形状を有するので、差込方向に差し込まれたナットは、第１ナット保持部と第２平板部との間に挟まれて固定される。これにより、電池ケースが傾いた場合でも、ナットの落下を抑制することができる。
【図面の簡単な説明】
【００１５】
【図１】一実施の形態における電池ケースの斜視図である。
【図２】一実施の形態における電池ケースの要部を示す斜視図である。
【図３】一実施の形態における電池ケースの要部を別の角度から見た斜視図である。
【図４】出力端子の外観形状を示す斜視図である。
【図５】出力端子の一端側の状態を説明するための図である。
【図６】出力端子の他端側が外装ケースを貫通している箇所の断面図である。
【図７】第１ナット保持部の形状を説明するための図であって、第１ナット保持部をＹ軸方向から見た図である。
【図８】外装ケースの上面側に、外部出力線を接続する場合のボルトとナットの取り付け方向を示す図である。
【図９】第２ナット保持部の形状を説明するための図であって、第２ナット保持部を上方から見た図である。
【図１０】出力端子の別の形状の一例を示す図である。
【発明を実施するための形態】
【００１６】
以下に本発明の実施形態を示して、本発明の特徴とするところを具体的に説明する。
【００１７】
図１は、一実施の形態における電池ケース１００の斜視図である。図２は、一実施の形態における電池ケース１００の要部を示す斜視図であり、図３は、一実施の形態における電池ケース１００の要部を別の角度から見た斜視図である。
【００１８】
外装ケース１は、図示しない電池を収容するケースであって、例えば、電池を収容可能な収容部と、蓋部とにより構成されている。本実施形態では、外装ケース１は、樹脂により構成されている。外装ケース１内に収容される電池は、単電池であってもよいし、組電池であってもよい。
【００１９】
外装ケース１の外側、具体的には、外装ケース１の上面１ａには、一対の出力端子２Ａ、２Ｂが設けられている。出力端子２Ａ、２Ｂは、例えば、純銅に比べて剛性の高い黄銅によって形成されている。
【００２０】
本実施形態では、樹脂製の外装ケース１および一対の出力端子２Ａ、２Ｂは、インサート成形によって製造されている。
【００２１】
一対の出力端子２Ａ、２Ｂのうちの一方はプラス端子であり、他方はマイナス端子である。本実施形態では、出力端子２Ａがプラス端子であり、電池の正極と電気的に接続される。また、出力端子２Ｂがマイナス端子であり、電池の負極と電気的に接続される。
【００２２】
なお、以下の説明において、出力端子２Ａと出力端子２Ｂとを区別せずに説明するときは、「出力端子２」と記載して説明する。
【００２３】
図４は、出力端子２Ａの外観形状を示す斜視図である。以下では、出力端子２Ａの形状について説明するが、出力端子２Ｂも同じ形状を有する。
【００２４】
出力端子２Ａは、第１平板部２１と、第１平板部２１と直交する第２平板部２２とを有する。すなわち、出力端子２Ａは、略Ｌ字状の形状を有する。本実施形態では、設計上、第２平板部２２が同一平面上にはない２つの平板部２２ａ、２２ｂを備えた段差のある形状で構成されているが、段差のない平板形状で構成されていてもよい。
【００２５】
第１平板部２１には、第１ボルト挿通孔２３が形成されている。また、第２平板部２２、より具体的には、第１平板部２１と連続的に形成されている第２平板部２２ａに、第２ボルト挿通孔２４が形成されている。
【００２６】
なお、第２平板部２２ｂには、図示しない電池と電気的に接続する際に使用される接続孔２５が形成されている。
【００２７】
出力端子２Ａには、ボルト３とナット４を用いて、外部出力線５が接続される。具体的には、外部出力線５の一端に取り付けられた圧着端子５ａの孔をボルト３が挿通し、出力端子２Ａを介してナット４がボルト３に締結されることによって、出力端子２Ａに外部出力線５が接続される（図１、図８参照）。
【００２８】
本実施形態では、ナット４は、ボルト３の挿通方向に見たときに、略正方形の形状を有する。
【００２９】
本実施形態における電池ケース１００では、外装ケース１の側面１ｂ側、および、上面１ａ側のどちら側にも外部出力線５を接続できるように、出力端子２Ａに第１ボルト挿通孔２３および第２ボルト挿通孔２４が形成されている。図１では、外装ケース１の側面１ｂ側に、外部出力線５を接続する場合のボルト３とナット４の取り付け方向を点線で示している。
【００３０】
すなわち、外装ケース１の側面１ｂ側に外部出力線５を接続する場合には、出力端子２Ａの第１ボルト挿通孔２３にボルト３を挿通し、外装ケース１の上面１ａ側に外部出力線５を接続する場合には、第２ボルト挿通孔２４にボルト３を挿通するように構成されている。
【００３１】
本実施形態における電池ケース１００は、ボルト３に締結するためのナット４を保持するための第１ナット保持部１１および第２ナット保持部１２（図２参照）の形状に特徴を有するが、第１ナット保持部１１および第２ナット保持部１２について説明する前に、出力端子２について説明する。
【００３２】
図５は、出力端子２Ａの一端２６側の状態を説明するための図である。出力端子２Ａの一端２６は、第１平板部２１側の端部であって、電池ケース１００の内部に収容される電池とは接続されない側の端部である。
【００３３】
出力端子２Ａは、一端２６が外装ケース１の内側に貫通する態様で設けられている。そして、外装ケース１の内側に貫通した出力端子２Ａの一端２６を袋状に覆うように封止樹脂３０が設けられている。封止樹脂３０として、例えば、変性ポリオレフィン樹脂の分散溶液やアクリル系変性シリコーン樹脂溶液を用いることができる。
【００３４】
出力端子２Ａの一端２６は、水が溜まりやすい外装ケース１の上面１ａから、内側へと貫通する態様で設けられている。本実施形態における電池ケース１００では、出力端子２Ａの一端２６を袋状に覆うように封止樹脂３０が設けられているので、出力端子２Ａと外装ケース１の界面から水が侵入した場合でも、外装ケース１の内部に水が侵入するのを抑制することができる。これにより、外装ケース１内に収容されている電池に水が付着することを抑制し、電池の信頼性を向上させることができる。
【００３５】
出力端子２Ａの第２平板部２２側の他端２７も、外装ケース１の内側に貫通する態様で設けられている。出力端子２Ａの他端２７は、電池ケース１００に収容される電池と接続される側の端部である。図６は、出力端子２の他端２７側が外装ケース１を貫通している箇所の断面図である。
【００３６】
出力端子２が外装ケース１を貫通している箇所において、出力端子２と外装ケース１との間には、出力端子２および外装ケース１と密着する弾性体４０が設けられている。弾性体４０として、例えば、弾性接着剤やエラストマーを用いることができる。
【００３７】
このように、出力端子２と外装ケース１との間に弾性体４０が設けられているので、ボルト３へのナット４の締結時に、出力端子２と外装ケース１との間に加わる応力を弾性体４０が吸収することができる。これにより、ボルト３へのナット４の締結時に、出力端子２と外装ケース１との間の界面剥離を抑制することができる。
【００３８】
また、樹脂製の外装ケース１と金属製の出力端子２との間に弾性体４０が設けられていることにより、ヒートショックなどによって、樹脂と金属の線膨張係数の差に起因する界面剥離を抑制することができる。これにより、寒暖差の大きい環境下で使用しても、外装ケース１と出力端子２との間のシール性を維持することができ、外装ケース１の内部への水の侵入を抑制することができる。
【００３９】
出力端子２の一端２６側は、他端２７側と異なり、出力端子２と外装ケース１との間に弾性体は設けられていない。すなわち、出力端子２の一端２６側は、樹脂製の外装ケース１に埋め込まれて固定されているので、ボルト３へのナット４の締結時に出力端子２に加わる回転トルクを一端２６側で受けて、電池と接続される他端２７側への応力伝達を抑制することができる。
【００４０】
本実施形態における電池ケース１００では、外装ケース１の外側に、第１ナット保持部１１が設けられている（図２参照）。本実施形態では、第１ナット保持部１１は、外装ケース１と一体的に形成されている。
【００４１】
第１ナット保持部１１は、ナット４を下から支える台座として機能する。また、第１ナット保持部１１は、出力端子２の第２平板部２２、より具体的には、第２平板部２２ａとの間でナット４を挟んで保持することができるように構成されている。第１ナット保持部１１によってナット４が保持される場合、ボルト３は、出力端子２の第１ボルト挿通孔２３に挿通される。
【００４２】
図７は、第１ナット保持部１１の形状を説明するための図であって、第１ナット保持部１１を、ボルト３の挿通方向（Ｙ軸方向）から見た図である。理解を容易にするために、図７では、出力端子２Ａの第１平板部２１を省略している。
【００４３】
図７に示すように、第１ナット保持部１１は、ナット４の差込方向における手前側よりも奥側の方が、出力端子２Ａの第２平板部２２ａとの間の距離が最小部でナット４の一辺の長さと略等しくなるまで短くなるように、勾配のついた形状を有する。なお、本実施形態において、ナット４は、ボルト３の挿通方向に見たときに、略正方形の形状を有するので、全ての辺の長さが同じである。
【００４４】
ここで、ナット４の差込方向とは、ボルト３との締結位置までナット４を押し込んで行く方向（Ｘ軸方向）であって、ボルト３の軸方向（Ｙ軸方向）と直交する方向である。
【００４５】
すなわち、ナット４を第１ナット保持部１１の上に置いて奥に押し込んでいくと、ある位置まで到達したときに、ナット４は、第１ナット保持部１１と出力端子２Ａの第２平板部２２ａとの間に挟まれて固定される。これにより、電池ケース１００を、ナット４の差込方向の奥側に比べて手前側が下になるように傾けた場合でも、ナット４の落下を抑制することができる。また、ナット４が固定された位置において、ボルト３と締結できるように、第１ナット保持部１１の勾配が調整されている。
【００４６】
また、金型を用いて樹脂製の外装ケース１を成型する際、第１ナット保持部１１を成型するために用いる金型の抜き方向は、ナット４の差込方向と反対方向になる。したがって、金型の形状を、第１ナット保持部１１の勾配に応じて、抜き方向に少しずつ広くなる末広形状とすることができるので、抜き勾配を確保することができる。これにより、形状の安定した外装ケース１を製造することができる。
【００４７】
本実施形態における電池ケース１００では、外装ケース１の外側に、第２ナット保持部１２が設けられている。本実施形態では、外装ケース１の外側表面のうち、出力端子２Ａの他端２７が貫通している面が第２ナット保持部１２を構成している。
【００４８】
図８は、外装ケース１の上面１ａ側に、外部出力線５を接続する場合のボルト３とナット４の取り付け方向を示す図である。図８では、ボルト３とナット４の取り付け方向を点線で示している。
【００４９】
外装ケース１には、第２ボルト挿通孔２４に挿入されるボルト３と締結するナット４を載置するためのナット載置部１３が設けられている。ナット載置部１３は、上段部１３ａと下段部１３ｂにより構成されており、段差のある形状を有する。
【００５０】
ナット載置部１３の上段部１３ａは、ナットが載置される部位である。一方、下段部１３ｂは、第１ボルト挿通孔２３に挿通されるボルトおよび第２ボルト挿通孔２４に挿通されるボルト３との干渉を防ぐために、上段部１３ａよりも下方に位置する。このような構造により、第１ボルト挿通孔２３および第２ボルト挿通孔２４のどちらからボルト３が挿通されても、ボルト３がナット載置部１３と干渉することはないので、安定的にボルト３とナット４を締結することができる。
【００５１】
ナット４をボルト３と締結する際には、まず、ナット４をナット載置部１３の上段部１３ａの上に置いた状態で、ボルト３との締結位置まで、差込方向に押し込む。この場合も、ナット４の差込方向は、ボルト３との締結位置までナット４を押し込んで行く方向（Ｘ軸方向）であって、ボルト３の軸方向（Ｚ軸方向）と直交する方向である。
【００５２】
第２ナット保持部１２は、出力端子２Ａの第１平板部２１との間でナット４を挟んで保持することができるように構成されている。この場合、ボルト３は、出力端子２の第２ボルト挿通孔２４に挿通される。
【００５３】
図９は、第２ナット保持部１２の形状を説明するための図であって、第２ナット保持部１２を上方から見た図である。理解を容易にするために、図９では、出力端子２Ａの第２平板部２２を省略している。
【００５４】
図９に示すように、第２ナット保持部１２は、ナット４の差込方向（Ｘ軸方向）における手前側よりも奥側の方が、出力端子２Ａの第１平板部２１との間の距離が最小部でナット４の一辺の長さと略等しくなるまで短くなるように、勾配のついた形状を有する。ナット４の差込方向は、ボルト３の軸方向（Ｚ軸方向）と直交する方向である。
【００５５】
すなわち、差込方向（Ｘ軸方向）にナット４を押し込んでいくと、ある位置まで到達したときに、ナット４は、第２ナット保持部１２と出力端子２Ａの第１平板部２１との間に挟まれて固定される。これにより、電池ケース１００を、ナット４の差込方向の奥側に比べて手前側が下になるように傾けた場合でも、ナット４の落下を抑制することができる。また、ナット４が固定された位置において、ボルト３と締結できるように、第２ナット保持部１２の勾配が調整されている。
【００５６】
また、本実施形態における電池ケース１００では、ナット４の差込方向における奥行き位置を規制するためのストッパ１４が設けられている（図３参照）。
【００５７】
上述したように、第１ナット保持部１１および第２ナット保持部１２がそれぞれ勾配のついた形状を有することにより、ナット４が差込方向に押し込まれて、ある位置まで到達すると固定されて、その位置でボルト３と締結できるように構成されている。このように構成されている場合、ナット４は、ストッパ１４とは当接しない。
【００５８】
しかしながら、電池ケース１００の製造バラツキによって、ナット４が押し込まれたときに、ボルト３と締結可能な位置を超えた位置で固定されてしまうのを防ぐために、本実施形態における電池ケース１００では、ストッパ１４を設けている。したがって、ナット４が押し込まれて、仮にストッパ１４と当接したとしても、その位置でナット４がボルト３と締結できるように構成されている。
【００５９】
本発明は、上記実施形態に限定されるものではなく、本発明の範囲内において、種々の応用、変形を加えることが可能である。
【００６０】
上記実施形態では、出力端子２の第１平板部２１に第１ボルト挿通孔２３が形成され、第２平板部２２に第２ボルト挿通孔２４が形成されているが、第１平板部２１と第２平板部２２のうちのいずれか一方にのみ、ボルト挿通孔が形成されている構成であってもよい。また、出力端子２の構成部分のうち、外装ケース１の上面１ａから上方に延びる部分を第１平板部２１、第１平板部２１と直交する部分を第２平板部２２として説明したが、外装ケース１の上面１ａから上方に延びる部分を第２平板部２２と呼び、第２平板部２２と直交する部分を第１平板部と呼んでもよい。
【００６１】
出力端子２は、第１平板部と、第１平板部と直交する第２平板部とを備えた形状を有していればよく、図４に示す形状に限定されることはない。
【００６２】
図１０は、出力端子２の別の形状の一例を示す図である。図１０に示す出力端子２は、第１平板部２１と、第１平板部２１と直交する第２平板部２２と、第２平板部２２の両端のうち、第１平板部２１と反対側に設けられ、第２平板部２２と直交する第３平板部２８とを有する。第１平板部２１には、第１ボルト挿通孔２３が形成されており、第２平板部２２には、第２ボルト挿通孔２４が形成されている。また、第３平板部２８には、図示しない電池と電気的に接続する際に使用される接続孔２９が形成されている。図１０に示す出力端子２が外装ケース１と一体的に形成された場合、第３平板部２８は、外装ケース１の内部に位置する。出力端子２の形状が図１０に示すような形状であっても、上記実施形態における電池ケースと同様の効果を得ることができる。
【００６３】
樹脂製の外装ケース１および一対の出力端子２Ａ、２Ｂは、インサート成形によって製造されているものとして説明したが、外装ケース１に一対の出力端子２Ａ、２Ｂを後から取り付けるように構成されていてもよい。
【００６４】
上述した実施形態では、ボルト３の挿通方向に見たときのナット４の形状が略正方形であったが、正方形に限定されることはない。ただし、ナット４の形状は、第１ナット保持部１１と出力端子２の第２平板部２２との間、または、第２ナット保持部１２と出力端子２の第１平板部２１との間で挟まれたときに、固定されやすい形状であることが好ましい。すなわち、ナット４の形状は、第１ナット保持部１１または第２ナット保持部１２と接する第１面と、出力端子２の第２平板部２２または第１平板部２１と接する第２面とを有する形状であることが好ましい。  
【符号の説明】
【００６５】
１    外装ケース
１ａ  上面
１ｂ  側面
２，２Ａ，２Ｂ  出力端子
３    ボルト
４    ナット
５    外部出力線
１１  第１ナット保持部
１２  第２ナット保持部
１３  ナット載置部
１４  ストッパ
２１  第１平板部
２２  第２平板部
２３  第１ボルト挿通孔
２４  第２ボルト挿通孔
２５  接続孔
２６  出力端子の一端
２７  出力端子の他端
２８  第３平板部
２９  接続孔
３０  封止樹脂
４０  弾性体
【図１】
2019102863.tif 000003
【図２】
2019102863.tif 000004
【図３】
2019102863.tif 000005
【図４】
2019102863.tif 000006
【図５】
2019102863.tif 000007
【図６】
2019102863.tif 000008
【図７】
2019102863.tif 000009
【図８】
2019102863.tif 000010
【図９】
2019102863.tif 000011
【図１０】
2019102863.tif 000012
【国際調査報告】
2019102863.tif 000013
2019102863.tif 000014
2019102863.tif 000015